(57)【要約】【課題】より装着感がよく、かつ使い勝手を向上させたシンブルを提供する。【解決手段】本考案のシンブルＡは、筒状の側面部１１、およびこの側面部１１の先端を塞ぐ蓋部１２を有する軟質樹脂材料からなる基体１と、側面部１１の先端寄りの外周および蓋部１２を覆うように設けられた硬質材料からなるカバー体２と、を備える。【選択図】図２
0003147430.tif 000002
【実用新案登録請求の範囲】
【請求項１】
筒状の側面部、およびこの側面部の先端を塞ぐ蓋部を有する軟質樹脂材料からなる基体と、
上記側面部の先端寄りの外周および上記蓋部を覆うように設けられた硬質材料からなるカバー体と、を備えることを特徴とする、シンブル。
【請求項２】
上記基体の上記側面部は、その横断面形状が波形形状とされている、請求項１に記載のシンブル。
【請求項３】
上記基体の上記側面部の外周には、凹部が設けられており、
上記カバー体には、上記凹部に嵌合するように内向きに突出する凸部が設けられている、請求項１または２に記載のシンブル。
【請求項４】
上記基体と上記カバー体とは、これらの間に介在する接着剤によって固定されている、請求項１ないし３のいずれかに記載のシンブル。
【請求項５】
上記カバー体は金属製である、請求項１ないし４のいずれかに記載のシンブル。
【請求項６】
上記カバー体の先端部周縁には、その内側部分よりも先端側に突出する起立部が設けられている、請求項１ないし５のいずれかに記載のシンブル。
【請求項７】
上記カバー体の先端部における上記起立部の内側には、複数の凹部が形成されている、請求項６に記載のシンブル。
【考案の詳細な説明】
【技術分野】
【０００１】
本考案は、指に嵌めて使用する手芸用のシンブルに関する。
【背景技術】
【０００２】
指ぬきは、裁縫やパッチワークをするときに指に嵌め、主に針の頭を押すために使用する用具であり、硬質な金属製のものや軟質な革製のものがよく知られている。また、金属製の部材および革製の部材によって構成されたシンブルも知られている。
【０００３】
たとえば、特許文献１には、金属製の基体のほぼ全体に革製のカバー体を被せて構成された二重構造のシンブルが開示されている。特許文献１に開示されたシンブルにおいては、同文献の図３に表れているように、針を押す際には、外側の革製カバー体の先端に針の頭部を当接させる。このとき、針に直接触れるのは革製のカバー体であるので、皮革素材の柔軟性によって使用中に針が滑りにくい。また、カバー体の内側には金属製の頑丈な基体があるので、強い力で針に押し当てても針が基体を突き抜けることはなく、指先を適切に保護することができる。
【０００４】
しかしながら、上記従来のシンブルによれば、内側の基体が金属製であるから、装着時に指に馴染まず、フィット感に欠ける。その結果、シンブルがずれてしまうこともあり、使い勝手が悪い。また、上記構成のシンブルの使用方法としては、縫い作業で布地に対して針が通ったことを確認して針を引き返させるために、シンブルの先端で針先を受け止める場合がある。このような使用において、外側にある革製のカバー体に針先が刺し込まれることになり、カバー体が損傷しやすい。このように、上記従来のシンブルは、装着感や使い勝手において、改善の余地があった。
【０００５】
【特許文献１】実開平７−１２０８２号公報
【考案の開示】
【考案が解決しようとする課題】
【０００６】
本考案は、このような事情のもとで考え出されたものであって、より装着感がよく、かつ使い勝手を向上させたシンブルを提供することをその課題としている。
【課題を解決するための手段】
【０００７】
上記の課題を解決するため、本考案では、次の技術的手段を講じている。
【０００８】
本考案によって提供されるシンブルは、筒状の側面部、およびこの側面部の先端を塞ぐ蓋部を有する軟質樹脂材料からなる基体と、上記側面部の先端寄りの外周および上記蓋部を覆うように設けられた硬質材料からなるカバー体と、を備えることを特徴としている。
【０００９】
このような構成のシンブルによれば、内側にある基体が軟質樹脂材料からなるので、適度な伸縮性を有している。このため、シンブルの使用時には、指に馴染みやすく、装着感に優れている。その一方、基体の先端には硬質材料からなるカバー体が設けられているので、指先を適切に保護することができる。また、カバー体は基体の先端寄りに部分的に設けられているので、シンブル全体として指への装着感を損なうことはなく、使い勝手もよい。
【００１０】
好ましい実施の形態においては、上記基体の上記側面部は、その横断面形状が波形形状とされている。このような構成によれば、シンブルの装着時には、指と基体との間に多少の隙間が生じる。したがって、適度な通気性を確保することができ、指の蒸れを防止することができる。また、基体の横断面が波形であれば、たとえば円形断面の場合と比べて、寸法の融通性が高まり、装着される指の太さに多少の大小があっても、各指に対して適度にフィットする。したがって、上記構成によれば、指の太さの相違を適度にカバーすることができ、かかる点においても、使い勝手がよい。
【００１１】
好ましい実施の形態においては、上記基体の上記側面部の外周には、凹部が設けられており、上記カバー体には、上記凹部に嵌合するように内向きに突出する凸部が設けられている。このような構成によれば、比較的に簡単な構造によって、基体に対してカバー体を位置決め固定することができる。
【００１２】
好ましい実施の形態においては、上記基体と上記カバー体とは、これらの間に介在する接着剤によって固定されている。このような構成によれば、基体に対するカバー体の固定状態をより確実なものとすることができる。
【００１３】
好ましい実施の形態においては、上記カバー体は金属製である。
【００１４】
好ましい実施の形態においては、上記カバー体の先端部周縁には、その内側部分よりも先端側に突出する起立部が設けられている。このように起立部を有する構成によれば、カバー体の先端部によって針を押さえるときに、針が先端部周縁からはみ出すといった事態を防止することができる。
【００１５】
好ましい実施の形態においては、上記カバー体の先端部における上記起立部の内側には、複数の凹部が形成されている。このような構成によれば、カバー体の先端部で針を押さえるときに、針の端部が凹部に嵌まることにより、針が滑るのを防止することができる。
【００１６】
本考案のその他の特徴および利点は、添付図面を参照して以下に行う詳細な説明によって、より明らかとなろう。
【考案を実施するための最良の形態】
【００１７】
以下、本考案の好ましい実施の形態について、図面を参照して具体的に説明する。
【００１８】
図１〜図３は、本考案に係るシンブルの一実施形態を示している。本実施形態のシンブルＡは、指先に装着して使用するタイプのものであり、先端側が塞がった筒状とされている。このシンブルＡは、基体１と、基体１の先端側に設けられたカバー体２とを備えて構成されている。
【００１９】
基体１は、図１および図２に表れているように、筒状の側面部１１と、この側面部１１の先端を塞ぐ蓋部１２とを有しており、たとえばエラストマー樹脂などの軟質樹脂材料によって一体成形されたものである。基体１は、適度な伸縮性を有する弾性体であり、その硬度はゴム硬度にして３０〜４０度程度である。
【００２０】
図１および図３によく表れているように、側面部１１は、横断面形状が波形形状とされているとともに、基端側（図１における下側）から先端側に向かうにつれて徐々に先細り状となっている。図２に表れているように、蓋部１２は、外側の先端部分が平坦面とされる一方、内側部分が指先にフィットしやすい曲面とされている。側面部１１の先端寄りの外周には、複数の凹部１１ａが形成されている。基体１の基端側には、シンブルＡを装着するときに指を挿入するための開口１１ｂが設けられている。
【００２１】
カバー体２は、図１および図２に表れているように、筒状の側面部２１と、この側面部２１につながる先端部２２とを有しており、硬質材料からなる。本実施形態では、カバー体２は、金属製とされており、たとえばプレス成形によって一体成形されたものである。
【００２２】
側面部２１および先端部２２は、基体１の側面部１１および蓋部１２に対して、ほぼ隙間なく被せることが可能な形状とされている。側面部２１の適所には、内向きに突出する複数の凸部２１ａが設けられている。これら凸部２１ａは、基体１の複数の凹部１１ａにそれぞれ嵌合している。
【００２３】
先端部２２は、全体としてほぼ平らな板状とされており、その周縁には、板状である面内方向の内側部分よりも先端側に突出する起立部２２ａが設けられている。上記板状である内側部分には、基体１側に没入する複数の凹部２２ｂが形成されている。先端部２２は、基体１の蓋部１２に対し、接着剤３を介して固定されている。
【００２４】
本実施形態のシンブルＡは、図４に表れているように、使用時においては、基体１の基端側の開口１１ｂを通じてたとえば中指に装着される。そして、たとえばシンブルＡの先端に針Ｎの頭部を当接させ、針Ｎを押し付ける。ここで、指Ｆに直接触れるのは基体１であるが、基体１は、軟質樹脂材料からなり、適度な伸縮性を有している。このため、シンブルＡは、指Ｆに馴染みやすく、装着感に優れている。その一方、基体１の先端には金属製のカバー体２が設けられているので、シンブルＡの先端によって針Ｎを強く押し当てたとしても針Ｎがカバー体２を突き抜けることはなく、指先を適切に保護することができる。また、カバー体２は基体１の先端寄りに部分的に設けられているので、シンブルＡ全体として指Ｆへの装着感を損なうことはなく、使い勝手もよい。
【００２５】
基体１の側面部１１は、その横断面形状が波形形状とされている。これにより、シンブルＡの装着時には、指Ｆと基体１との間に多少の隙間が生じる。したがって、適度な通気性を確保することができ、指Ｆの蒸れを防止することができる。また、基体１の横断面が波形であれば、たとえば円形断面の場合と比べて、寸法の融通性が高まり、装着される指Ｆのサイズ（太さ）に多少の大小があっても、各指Ｆに対して適度にフィットする。したがって、シンブルＡの使用においては、指Ｆの太さの相違を適度にカバーすることができ、かかる点においても、使い勝手がよい。
【００２６】
カバー体２の先端部２２の周縁には、その内側部分よりも先端側に突出する起立部２２ａが設けられている。このように起立部２２ａを有する構成によれば、カバー体２の先端部２２によって針Ｎを押さえるときに、針Ｎが先端部２２の周縁からはみ出すといった事態を防止することができる。したがって、針Ｎが誤って指Ｆに当たってしまうことを回避でき、指Ｆをより適切に保護することができる。
【００２７】
カバー体２の先端部２２における起立部２２ａの内側には、複数の凹部２２ｂが形成されている。このため、このような構成によれば、カバー体２の先端部２２で針Ｎを押さえるときに、針Ｎの頭部が凹部２２ｂに嵌まることによって針Ｎが滑るのを防止することができ、使い勝手がよい。また、先端部２２で針先を受け止める場合には、針先の滑りが防止されるので、針先の損傷を抑制することができる。
【００２８】
シンブルＡにおいては、図２を参照して上述したように、基体１の側面部１１の凹部１１ａにカバー体２の側面部２１の凸部２１ａが嵌合している。このような構成によれば、比較的に簡単な構造によって、基体１に対してカバー体２を位置決め固定することができる。また、本実施形態では、基体１とカバー体２との間には接着剤３が介在しているので、基体１に対するカバー体２の固定状態をより確実なものとすることができる。
【００２９】
以上、本考案の具体的な実施形態を説明したが、本考案はこれに限定されるものではなく、考案の思想から逸脱しない範囲内で種々な変更が可能である。本考案に係るシンブルの各部の具体的な形状や材質なども、上記実施形態に限定されるものではない。
【００３０】
カバー体２としては、上記実施形態のような金属製のものに限定されず、針を強い力で押さえ付けるのに耐えうる硬質材料によって構成されたものであればよく、たとえばＡＢＳ樹脂などの硬質樹脂材料を採用してもよい。
【００３１】
また、上記実施形態において、カバー体２の先端部２２の周縁には、その内側部分よりも先端側に突出する起立部２２ａが設けられているが、このような起立部を有しない構成としてもよい。たとえばカバー体の先端部が、周縁からその内側部分にかけてフラットになっていてもよい。
【００３２】
さらに、本考案に係るシンブルは、使用者の指の太さに応じて、たとえば、Ｌサイズ、Ｍサイズ、Ｓサイズといった複数のサイズを準備することができる。
【図面の簡単な説明】
【００３３】
【図１】本考案に係るシンブルの一例を示す斜視図である。
【図２】図１のＩＩ−ＩＩ線に沿う断面図である。
【図３】図２のＩＩＩ−ＩＩＩ線に沿う断面図である。
【図４】図１に示されるシンブルの使用状態説明図である。
【符号の説明】
【００３４】
Ａ        シンブル
１        基体
１１      （基体の）側面部
１１ａ    （側面部の）凹部
１１ｂ    開口
１２      蓋部
２        カバー体
２１      側面部
２１ａ    凸部
２２      先端部
２２ａ    起立部
２２ｂ    （先端部の）凹部
【図１】
0003147430.tif 000003
【図２】
0003147430.tif 000004
【図３】
0003147430.tif 000005
【図４】
0003147430.tif 000006